(57)【特許請求の範囲】
【請求項１】
運転者のアクセル操作に応じた要求エンジン出力毎に、該要求エンジン出力を達成可能なエンジンの運転領域として、エンジントルクが高くエンジン回転速度が低い領域からこれと逆特性の領域にかけて設定される等パワー曲線を予め記憶すると共に、各等パワー曲線上において上記エンジンが達成可能な最大トルクまでのエンジントルク増加幅と相関する指標として大きな余裕代が見込まれ且つ上記最大トルク近傍に形成される最良燃費領域から遠ざかった加速重視の運転点と、上記最大トルクまでのエンジントルク増加幅と相関する指標として小さな余裕代が見込まれ且つ上記最良燃費領域に近い燃費重視の運転点とを記憶する運転領域記憶手段と、
車両運転状態又は運転環境に基づき上記最適な余裕代を設定する余裕代設定手段と、
上記運転者のアクセル操作に基づき上記要求エンジン出力を達成可能な等パワー曲線を決定し、該等パワー曲線上で上記加速重視運転点と燃費重視運転点との間で上記余裕代設定手段により設定された余裕代に応じて目標運転点を決定する目標運転点決定手段と、
上記目標運転点決定手段により決定された目標運転点で上記エンジンを運転させるべく無段変速機の変速比を制御する変速制御手段とエンジントルクを制御するエンジン出力制御手段と
を備えたことを特徴とする無段変速機の制御装置。
【請求項２】
上記余裕代設定手段は、上記余裕代を上記加速重視運転点と燃費重視運転点との間の割合として設定し、
上記目標運転点決定手段は、上記加速重視運転点と燃費重視運転点との間で上記割合に応じた位置に上記目標運転点を決定することを特徴とする請求項１記載の無段変速機の制御装置。
【請求項３】
上記余裕代設定手段は、運転者による運転操作の緩急、または該運転操作に基づく車両挙動の緩急に応じて上記余裕代を設定し、
上記目標運転点決定手段は、上記余裕代に基づき上記運転操作または車両挙動が急であるほど上記加速重視運転点寄りの目標運転点を決定することを特徴とする請求項１または２記載の無段変速機の制御装置。
【請求項４】
上記余裕代設定手段は、車両の旋回状態の緩急に応じて上記余裕代を設定し、
上記目標運転点決定手段は、上記余裕代に基づき上記車両の旋回状態が急であるほど上記加速重視運転点寄りの目標運転点を決定することを特徴とする請求項１乃至３の何れかに記載の無段変速機の制御装置。
【請求項５】
上記余裕代設定手段は、傾斜路での路面勾配に応じて上記余裕代を設定し、
上記目標運転点決定手段は、上記余裕代に基づき上記路面勾配が急であるほど上記加速重視運転点寄りの目標運転点を決定することを特徴とする請求項１乃至４の何れかに記載の無段変速機の制御装置。
【請求項６】
上記エンジンと無段変速機との間に、所定車速以上で直結制御されるロックアップクラッチを備えたトルクコンバータが設けられ、
上記目標運転点決定手段は、上記ロックアップクラッチの直結車速未満の領域では、上記トルクコンバータの速度比及びトルクコンバータ特性に基づき上記余裕代に応じて決定した目標運転点を補正することを特徴とする請求項１乃至５の何れかに記載の無段変速機の制御装置。
【発明の詳細な説明】
【技術分野】
【０００１】
本発明は無段変速機（ＣＶＴ）の制御装置に係り、詳しくは変速特性を変更可能な無段変速機の制御装置に関するものである。
【背景技術】
【０００２】
近年、広く実用化されている無段変速機は変速比を無段階に制御可能であり、この特性を活かしてエンジン側が常に最良燃費で運転される運転点を目標にして変速比を制御している。また、このような燃費重視の制御では変速比を比較的高ギア側に保つことになるため、アクセル踏込みに伴ってエンジントルクが立上げられたときの加速応答性が良好でないことを鑑みて、キビキビした運転を好む運転者への対処として、変速特性の異なる２種の変速モードを設定した無段変速機もある。当該無段変速機では、上記燃費最良点の運転点を目標として変速制御するノーマルモードに加えて、変速比をより低ギア側に制御するスポーツモードが設定され、運転者のスイッチ操作に応じて選択された変速モードに従って変速制御を実行している。
【０００３】
しかしながら、運転者のスイッチ操作を要することから非常に煩わしい上に、２種の変速モードでは多様な運転者の好みに対してきめ細かに対応できず、運転者に十分な満足感を与えることができなかった。しかも、全ての運転者が客観的に自己の好みを把握しているとは限らないことから、主観により不適切な変速モードを選択してしまう可能性もあり、このような場合には却って運転者の意に沿わない変速制御が実行されてフィーリング悪化の要因となるという不具合もあった。
【０００４】
また、上記のように変速モードに応じて変速比を切換える無段変速機の他に、目標の変速比に到達するまでの変速速度を切換えるものもある（例えば、特許文献１参照）。当該特許文献１の技術では、快適性を重視したコンフォート走行モードとキビキビ感を重視したスポーツ走行モードとを運転者のスイッチ操作に応じて選択し、例えばアクセル踏込みに伴ってダウンシフトにより変速比を低ギア側に制御するときには、コンフォート走行モードでは低い変速速度で緩やかに変速して変速ショックを抑制するのに対し、スポーツ走行モードでは高い変速速度で速やかに変速を完了している。
【特許文献１】特許第３４５８５４１号明細書
【発明の開示】
【発明が解決しようとする課題】
【０００５】
しかしながら、上記特許文献１の技術では、運転者による変速モードの選択に応じて上記変速比に代えて変速速度を切換えているだけの相違しかないため、上記問題の解決手段とはなり得ない。よって、上記先行技術と同じくスイッチ操作が煩わしい上に、運転者の好みを反映したきめ細かな対応ができないと共に、運転者による不適切なモード選択を防止できないという問題が生じた。
【０００６】
本発明はこのような問題点を解決するためになされたもので、その目的とするところは、運転者が手動で変速特性を設定する煩わしさを防止した上で、運転状態に応じてきめ細かに且つ主観を排除して客観的に変速特性を設定でき、ひいては常に適切に変速制御を実行して最適な車両の走行特性を実現することができる無段変速機の制御装置を提供することにある。
【課題を解決するための手段】
【０００７】
上記目的を達成するため、請求項１の発明は、運転者のアクセル操作に応じた要求エンジン出力毎に、要求エンジン出力を達成可能なエンジンの運転領域として、エンジントルクが高くエンジン回転速度が低い領域からこれと逆特性の領域にかけて設定される等パワー曲線を予め記憶すると共に、各等パワー曲線上においてエンジンが達成可能な最大トルクまでのエンジントルク増加幅と相関する指標として大きな余裕代が見込まれ且つ最大トルク近傍に形成される最良燃費領域から遠ざかった加速重視の運転点と、最大トルクまでのエンジントルク増加幅と相関する指標として小さな余裕代が見込まれ且つ最良燃費領域に近い燃費重視の運転点とを記憶する運転領域記憶手段と、車両運転状態又は道路環境に基づき最適な余裕代を設定する余裕代設定手段と、運転者のアクセル操作に基づき要求エンジン出力を達成可能な等パワー曲線を決定し、等パワー曲線上で加速重視運転点と燃費重視運転点との間で余裕代設定手段により設定された余裕代に応じて目標運転点を決定する目標運転点決定手段と、目標運転点決定手段により決定された目標運転点でエンジンを運転させるべく無段変速機の変速比を制御する変速制御手段とエンジントルク制御手段とを備えたものである。
【０００８】
従って、車両の走行中には運転状態又は道路環境に基づき最適な余裕代が余裕代設定手段により設定される一方、運転領域記憶手段に記憶された等パワー曲線と加速重視運転点及び燃費重視運転点とに基づき、運転者のアクセル操作に応じた要求エンジン出力を達成可能な等パワー曲線が目標運転点決定手段により決定されると共に、等パワー曲線上で加速重視運転点と燃費重視運転点との間で余裕代に応じた目標運転点が決定され、この目標運転点に基づいて変速制御手段による無段変速機の変速制御とエンジントルク制御手段によるエンジンのトルク制御が実行される。
【０００９】
結果として、目標運転点の設定操作を運転者が手動で行う場合の煩わしさが未然に防止される。また、運転状態に基づき運転者の主観を排除した客観的な余裕代が設定され、その余裕代に基づいてきめ細かに目標運転点が設定されるため、常に適切に変速制御を実行して燃費と加速との相反する要件を共に満足する最適な車両の走行特性が実現される。
請求項２の発明は、請求項１において、余裕代設定手段が、余裕代を加速重視運転点と燃費重視運転点との間の割合として設定し、目標運転点決定手段が、加速重視運転点と燃費重視運転点との間で割合に応じた位置に目標運転点を決定するものである。
【００１０】
従って、余裕代は加速重視運転点と燃費重視運転点との間の割合として設定され、設定された割合に応じて加速重視運転点と燃費重視運転点との間で目標運転点が決定される。
請求項３の発明は、請求項１または２において、余裕代設定手段が、運転者による運転操作の緩急、または運転操作に基づく車両挙動の緩急に応じて上記余裕代を設定し、目標運転点決定手段が、余裕代に基づき運転操作または車両挙動が急であるほど加速重視運転点寄りの目標運転点を決定するものである。
【００１１】
従って、運転者による運転操作の緩急、または運転操作に基づく車両挙動の緩急に応じて余裕代が設定され、設定された余裕代に基づき運転操作または車両挙動が急であるほど加速重視運転点寄りの目標運転点が決定される。運転操作や車両挙動の緩急は運転者が要求する車両の走行特性を表す指標と見なせ、運転操作や車両挙動が急なときには加速重視運転点寄りの目標運転点に基づき良好な加速応答性が得られる一方、運転操作や車両挙動が緩やかなときには燃費重視運転点寄りの目標運転点に基づき良好な燃費が得られる。
【００１２】
請求項４の発明は、請求項１乃至３において、余裕代設定手段が、車両の旋回状態の緩急に応じて余裕代を設定し、目標運転点決定手段が、余裕代に基づき車両の旋回状態が急であるほど加速重視運転点寄りの目標運転点を決定するものである。
従って、車両の旋回状態の緩急に応じて余裕代が設定され、設定された余裕代に基づき車両の旋回状態が急であるほど加速重視運転点寄りの目標運転点が決定される。車両旋回時には加速要求やエンジンブレーキの要求が高まるが、旋回状態が急なときには加速重視運転点寄りの目標運転点に基づき良好な加速応答性及びエンジンブレーキ作用が得られる一方、旋回状態が緩やかなときには燃費重視運転点寄りの目標運転点に基づき良好な燃費が得られる。
【００１３】
請求項５の発明は、請求項１乃至４において、余裕代設定手段が、傾斜路での路面勾配に応じて余裕代を設定し、目標運転点決定手段が、余裕代に基づき路面勾配が急であるほど加速重視運転点寄りの目標運転点を決定するものである。
従って、傾斜路での路面勾配に応じて余裕代が設定され、設定された余裕代に基づき路面勾配が急であるほど加速重視運転点寄りの目標運転点が決定される。例えば登坂路では高いエンジントルクが要求されると共に、加速要求に応答するためにも大きなエンジントルクを要するが、路面勾配が急なときには加速重視運転点寄りの目標運転点に基づき大きな余裕トルクが確保される一方、路面勾配が緩やかなときには燃費重視運転点寄りの目標運転点に基づき良好な燃費が得られる。
【００１４】
請求項６の発明は、請求項１乃至５において、エンジンと無段変速機との間に、所定車速以上で直結制御されるロックアップクラッチを備えたトルクコンバータが設けられ、目標運転点決定手段が、ロックアップクラッチの直結車速未満の領域では、トルクコンバータの速度比及びトルクコンバータ特性に基づき余裕代に応じて決定した目標運転点を補正するものである。
【００１５】
従って、ロックアップクラッチの直結車速未満の領域では、トルクコンバータの速度比及びトルクコンバータ特性に基づき、トルクコンバータの滑りを考慮して目標運転点が補正されるため、ロックアップクラッチが直結されていない領域でも適切な目標運転点に基づいて変速制御を実行可能となる。
【発明の効果】
【００１６】
以上説明したように請求項１，２の発明の無段変速機の制御装置によれば、運転者が手動で変速特性を設定する煩わしさを防止した上で、運転状態又は道路環境に応じてきめ細かに且つ主観を排除して客観的に目標運転点を設定でき、ひいては目標運転点に基づき常に適切に変速制御を実行して燃費と加速との相反する要件を共に満足する最適な車両の走行特性を実現することができる。
【００１７】
請求項３の発明の無段変速機の制御装置によれば、請求項１，２に加えて、運転操作や車両挙動の緩急から設定した余裕代に基づいて目標運転点を設定することにより、運転者のドライビングスタイルに対して最適な走行特性を実現することができる。
請求項４の発明の無段変速機の制御装置によれば、請求項１乃至３に加えて、車両の旋回状態の緩急から設定した余裕代に基づいて目標運転点を設定することにより、車両の旋回状態に対して最適な走行特性を実現することができる。
【００１８】
請求項５の発明の無段変速機の制御装置によれば、請求項１乃至４に加えて、傾斜路での路面勾配の緩急から設定した余裕代に基づいて目標運転点を設定することにより、路面勾配に対して最適な走行特性を実現することができる。
請求項６の発明の無段変速機の制御装置によれば、請求項１乃至５に加えて、ロックアップ領域のみならず非ロックアップ領域においても余裕代を反映した適切な目標運転点に基づく変速制御を実行することができる。
【発明を実施するための最良の形態】
【００１９】
以下、本発明をベルト式無段変速機の制御装置に具体化した一実施例を説明する。
図１は本実施形態の無段変速機の制御装置を示す概略構成図である。本実施形態では無段変速機２がガソリンエンジン１と組み合わされており、エンジン１の出力軸１ａがトルクコンバータ３及び発進クラッチ４を介してプライマリプーリ５を支持する入力軸５ａに連結されている。トルクコンバータ３はロックアップクラッチ３ａを内蔵し、ロックアップクラッチ３ａの遮断時には滑りを伴ったトルク増幅作用によりエンジン１の駆動力を増幅しながらCVT入力軸につながっている。
【００２０】
上記プライマリプーリ５は無端状ベルト６を介してセカンダリプーリ７と連結されている。セカンダリプーリ７を支持する出力軸７ａには２次減速機構８が連結され、この２次減速機構８はデファレンシャルギア９を介して左右の駆動輪１０に連結されている。プライマリプーリ５及びセカンダリプーリ７にはソレノイド１１が接続され、図示しないオイルポンプからの作動油がソレノイド１１の切換に応じて各プーリ５，７に供給される。作動油の供給状態に応じてプライマリプーリ５及びセカンダリプーリ７の有効径が調整され、これにより相互のプーリ比、即ち無段変速機２の変速比が制御され、変速比に応じてエンジン１の駆動力が変換されて駆動輪１０に伝達される。
【００２１】
車室内には、図示しない入出力装置、制御プログラムや制御マップ等の記憶に供される記憶装置（ＲＯＭ，ＲＡＭ，ＢＵＲＡＭ等）、中央処理装置（ＣＰＵ）、タイマカウンタ等を備えたＥＣＵ（電子制御ユニット）２１が設置されており、エンジン１及び無段変速機２の総合的な制御を行う。ＥＣＵ２１の入力側には、エンジン１の回転速度Ｎeを検出するエンジン回転速度センサ２２、無段変速機２の入力軸５ａの回転速度であるプライマリ回転速度Ｎpを検出するプライマリ回転速度センサ２３、無段変速機２の出力軸７ａの回転速度であるセカンダリ回転速度Ｎsを検出するセカンダリ回転速度センサ２４、アクセルペダルの操作量θaccを検出するアクセルセンサ２５、同じくステアリングの操舵角θstを検出する操舵角センサ２６、車両の前後方向の加速度Ｇを検出する前後Ｇセンサ２７、車両のヨーレイトＹＲを検出するヨーレイトセンサ２８などの各種センサ類が接続されて、それらの検出情報が入力される。また、ＥＣＵ２１の出力側には、エンジン１の図示しない燃料噴射弁や点火プラグ、及び上記無段変速機２のソレノイド１１などのデバイス類が接続されている。
【００２２】
ＥＣＵ２１は上記各センサからの検出情報に基づき燃料噴射弁や点火プラグを駆動制御してエンジン１を運転すると共に、検出情報に基づいてソレノイド１１を駆動して無段変速機２の変速比を制御する。無段変速機２の変速制御に関して、本実施形態では設定処理により求めたエンジン１の目標運転点に基づいて変速制御を実行しており、以下、当該変速制御について述べる。
【００２３】
まず、基本的な変速制御の概要を説明する。図２は変速制御に適用するエンジン１の目標運転点を示す特性図、図３は目標パワーを設定するためのマップである。車両の走行中においてアクセルセンサ２５により検出されたアクセル操作量θacc及び車速Ｖから図３のマップに従ってエンジン１に対する目標パワーＰwt0（要求エンジン出力）が算出される。目標パワーＰw0はアクセル操作量θaccや車速Ｖが高いほど増加側に設定される。なお、車速Ｖは専用の車速センサで検出してもよいし、セカンダリ回転速度センサ２４のセカンダリ回転速度Ｎsを２次減速機構８及びデファレンシャルギア９のギア比により補正して得てもよい。
【００２４】
図２において目標パワーＰw0が等しい運転点はＡやＢなどの等パワー曲線（エンジン運転領域）として表される。エンジン出力はトルクと回転速度との積であることから、各等パワー曲線は、エンジントルクＴqが高くエンジン回転速度Ｎeが低い領域からこれと逆特性の領域にかけて設定される。そして、このパワー曲線上であれば何れの運転点でも運転者の要求する駆動輪１０の駆動力、ひいては車両の加減速を実現できるが、以下の運転点の設定に対する制約、及び燃費と加速応答性に関する利害得失が存在する。
【００２５】
即ち、エンジン１の最大トルクを上回る運転点は実現不能であるため、運転点は最大トルクの制約を受け、最大トルク以下の領域の等パワー曲線上に設定する必要がある。
また、エンジン固有の燃費特性に基づき、図中に破線で示すように最大トルク近傍且つ中回転域の最良燃費領域を中心として、外周側ほど燃費が悪化傾向となる。従って、この燃費特性と上記等パワー曲線の特性との関係から、燃費を重視した運転を行うには、等パワー曲線上の比較的エンジン回転速度Ｎeが低くエンジントルクＴqが高い領域（図の左方側相当し、具体的には回転を抑制したエンジン運転状態となる）に目標運転点を設定して、できる限り最良燃費領域近くでエンジン１を運転させることが望ましいことが判る。
【００２６】
また、アクセルの踏込み操作により車両が加速する過程では、エンジン制御によるエンジントルクＴqの増加と変速制御による変速比の変更とが並行して実行されるが、油圧によりプーリ５，７の有効径を変更する変速制御に比較して、燃料噴射量を増減するエンジン制御の方が格段に応答性が良好である。よって、例えば図２において、等パワー曲線Ａ上の運転点ａでの運転中にアクセル踏込みにより等パワー曲線Ｂの運転点ｂに移行する場合には、まず、エンジン回転速度Ｎeが略一定のまま運転点ａからエンジントルクＴqが最大トルク近傍まで増加し、その後に変速制御により運転点は最大トルク上を辿って等パワー曲線Ｂに到達し、さらに等パワー曲線上を辿って運転点ｂに到達する。
【００２７】
運転点ｂへの移行に伴って低ギア側の変速比に調整されることから駆動輪１０の駆動力が高められて良好な加速が得られるが、このような変速完了前の加速初期においては主にエンジントルクＴqの増加により車両の加速が開始される。即ち、運転点ａから最大トルクまでのエンジントルクＴqの増加幅が加速応答性の良否を決定する要因となる。よって、加速応答性を重視した運転を行うには、等パワー曲線上の比較的エンジン回転速度Ｎeが高くエンジントルクＴqが低い領域（図の右方側相当し、具体的には回転を高めたエンジン運転状態となる）に目標運転点を設定して、加速初期にエンジントルクＴqを大幅に増加させることが望ましいことが判る。以下の説明では、この加速初期の最大トルクまでのエンジントルク増加幅を余裕トルクと称する。
【００２８】
以上のように燃費重視の運転点と加速応答性重視の運転点とは相反するが、本実施形態では上記余裕トルクと相関する余裕代Ｋresの設定処理に基づき等パワー曲線上で最適運転点を求め、この最適運転点が達成されるように無段変速機１の変速比をＥＣＵ２１により制御している。
図４はＥＣＵ２１が実行する余裕代設定ルーチンを示すフローチャートであり、ＥＣＵ２１は車両の走行中において当該ルーチンを所定の制御インターバルで実行する。まず、ステップＳ２でドライビング係数Ｋdrvを算出する。当該ドライビング係数Ｋdrvは、運転者が行うアクセル操作やステアリング操作の緩急、或いは運転操作に基づく車両の加速や旋回の緩急に応じた値として算出される。例えばアクセルセンサ２５により検出されたアクセル操作量θaccの単位時間当たりの変化量Δθaccや、操舵角センサ２６により検出された操舵角θstの単位時間当たりの変化量Δθst、前後Ｇセンサ２７により検出された車両加速度Ｇなどに基づいてドライビング係数Ｋdrvが算出される。従って、ドライビング係数Ｋdrvは、運転者による運転操作の緩急、或いはその結果を反映した車両挙動の緩急を表し、換言すれば運転者が要求する車両の走行特性、例えば加速時のキビキビ感を求めているか否かなどを示す指標と見なすことができる。
【００２９】
なお、ドライビング係数Ｋdrvを算出するための要件は上記に限らず、例えばブレーキ操作したときの踏力、単位時間当たりのアクセル操作回数、ブレーキ操作回数、操舵回数などに基づいてドライビング係数Ｋdrvを算出してもよい。
続くステップＳ４ではカーブ係数Ｋcrvを算出する。例えばヨーレイトセンサ２８により検出されたヨーレイトＹＲに基づいてカーブ係数Ｋcrvが算出される。当該カーブ係数Ｋcrvは車両の旋回状態を表す指標と見なすことができる。なお、カーブ係数Ｋcrvを算出するための要件は上記に限らず、例えば車輪速センサにより検出した内外の車輪速差及び左右方向の加速度Ｇに基づいてカーブ係数Ｋcrvを算出してもよい。
【００３０】
続くステップＳ６では勾配係数Ｋslpを算出する。例えば周知手法により現在のエンジン出力の推定値と車両の前後方向加速度Ｇとに基づいて登坂路の勾配を算出し、この路面勾配に基づいて勾配係数Ｋslpが算出される。当該勾配係数Ｋslpは登坂路での車両の負荷状態を表す指標と見なすことができる。なお、登坂路のみならず降坂路でも路面勾配に応じて勾配係数Ｋslpを設定してもよい。
【００３１】
算出したドライビング係数Ｋdrv、カーブ係数Ｋcrv、勾配係数Ｋslpに基づき、続くステップＳ８では余裕代Ｋresを算出して記憶装置に格納し、その後にルーチンを終了する。余裕代Ｋresは、燃費重視の運転点と加速応答性重視の運転点との間で目標運転点を決定するための割合、より詳しくは燃費重視の運転点を余裕代Ｋres＝０％とし、加速応答性重視の運転点を余裕代Ｋres＝１００％として表される。図２の特性図のように、予めエンジン特性に基づいて各等パワー曲線上における燃費重視の運転点と加速応答性重視の運転点とが特定され、各運転点を結ぶことによりハッチングで囲んだ運転領域が設定されている。
【００３２】
目標パワーＰw0に基づいて等パワー曲線が決定されると、等パワー曲線上の運転領域内でエンジン１が運転されるが、運転点を燃費重視寄りに設定するほど燃費向上が期待でき、運転点を加速応答性重視寄りに設定するほど加速応答性の向上が期待でき、結果として後述する無段変速機２の変速制御により余裕代Ｋresに応じた運転点でエンジン１が運転されることで、余裕代Ｋresを反映したエンジン特性（車両の走行特性）が実現される。
【００３３】
ステップＳ８の具体的な処理としては、例えばドライビング係数Ｋdrv、カーブ係数Ｋcrv、勾配係数Ｋslpに対して予め設定された重み付けを反映させながら行われ、例えば予め余裕代Ｋresに設定に対してドライビング係数Ｋdrvの影響度が大に、カーブ係数Ｋcrv及び勾配係数Ｋslpの影響度が小に設定され、これらの影響度に応じて各係数Ｋdrv，Ｋcrv，Ｋslpが余裕代Ｋresの設定に反映される。余裕代Ｋresに対して各係数Ｋdrv，Ｋcrv，Ｋslpが影響する方向について述べると、運転者の運転操作が急であるほどドライビング係数Ｋdrvを介して余裕代Ｋresは加速応答性重視寄りの割合に設定され、コーナリング時の車両の旋回が急であるほどカーブ係数Ｋcrvを介して余裕代Ｋresは加速応答性重視寄りの割合に設定され、登坂路が急であるほど勾配係数Ｋslpを介して余裕代Ｋresは加速応答性重視寄りの割合に設定される。
【００３４】
このようにして余裕代Ｋresは、運転者の運転操作、車両の旋回状態、登坂路の勾配に応じた値として所定時間毎に設定される。
一方、以上の余裕代設定ルーチンと並行して、ＥＣＵ２１は車両の走行中に図５，６に示す変速制御ルーチンを所定の制御インターバル毎に実行する。
【００３５】
まず、ステップＳ１２で上記図３に基づいて述べたように、アクセル操作量θacc及び車速Ｖから目標パワーＰwt0を算出する。続くステップＳ１４では無段変速機２の変速比ｉ及び無段変速機２への入力トルクＴｉを設定する。この段階では変速比ｉ及び入力トルクＴｉは判明していないため、予め運転領域毎に初期値として変速比ｉ及び入力トルクＴｉをマップ設定しておき、ステップＳ４では現在の運転領域と対応する変速比ｉ及び入力トルクＴｉを求める。
【００３６】
ステップＳ１６では次式(1)に従って変速比ｉ及び入力トルクＴｉからトランスミッション効率ηtmを求め、続くステップＳ１８でトランスミッション効率ηtmを加味した目標パワーＰwtを求める。
ηtm＝ｆ（ｉ，Ｔｉ）………(1)
Ｐwt＝Ｐwt0／ηtm………(2)
ステップＳ２０では上記余裕代設定ルーチンにより設定された余裕代Ｋresを読み出し、続くステップＳ２２では、図２に示すようにステップＳ１８で算出した目標パワーＰwtに基づき等パワー曲線を決定すると共に、等パワー曲線上において余裕代Ｋresに応じた目標運転点（例えば図２中のａ）を算出する。目標運転点はエンジン回転速度Ｎｅ及びエンジントルクＴqの目標値として決定される。その後、ステップＳ２４に移行してステップＳ２２で算出した目標エンジン回転速度Ｎe、及びセカンダリ回転速度センサ２４により検出されたセカンダリ回転速度Ｎsに基づき、次式(3)に従って実際の無段変速機２の変速比ｉを求め、続くステップＳ２６でトランスミッション効率ηtmを上式(1)に従って再演算する。
【００３７】
ｉ＝Ｎe／Ｎs………(3)
ステップＳ２８ではステップＳ２６までの処理が１回目のものであるか否かを判定し、判定がＹｅｓ（肯定）のときには上記ステップＳ１８に戻って再度ステップＳ２６までの処理を実行する。再演算されたトランスミッション効率ηtmに基づきステップＳ１８ではより実状に即した目標パワーＰwtが算出され、この目標パワーＰwtに基づき再びステップＳ２２で等パワー曲線及び余裕代Ｋresに応じた目標運転点が決定される。
【００３８】
ステップＳ２８の判定がＮｏ（否定）になると、ステップＳ３０に移行してロックアップ領域か否かを判定する。本実施形態では２０km/h以上の車速域がロックアップ領域として設定されてロックアップクラッチ３ａが直結制御され、当該領域以上の車速域のときにはＹｅｓの判定を下してステップＳ３２に移行する。続くステップＳ３２では無段変速機２の変速比フィードバック制御を実行し、ステップＳ３４では目標エンジントルク制御（エンジントルク制御手段）を実行した後にルーチンを終了する。
【００３９】
ステップＳ３２の変速比フィードバック制御は上記ステップＳ２２で算出された目標運転点に対応するエンジン回転速度Ｎｅの目標値に基づいて実行され、ステップＳ３４の目標エンジントルク制御は目標運転点に対応するエンジントルクＴqの目標値に基づいて実行され、結果としてエンジン１は目標運転点で運転される。これらの処理は周知であるため詳細は述べないが、ロックアップクラッチ３ａの直結中にはエンジン回転速度Ｎeとプライマリ回転速度Ｎpとが同一であることから、変速比フィードバック制御では、エンジン回転速度Ｎｅの目標値を目標プライマリ回転速度Ｎpと見なして処理が実行される。
【００４０】
一方、上記ステップＳ３０で非ロックアップ領域であるとしてＮｏの判定を下したときには、図７に示すマップに従ってアクセル操作量θacc及び車速Ｖから目標プライマリ回転速度Ｎpを算出する。続くステップＳ３８では次式(4)に従ってギア比ｇを算出し、算出したギア比ｇが無段変速機２の実際の変速可能範囲、例えば０．４〜２．７を外れるときには範囲内に制限する。
【００４１】
ｇ＝Ｎp／Ｖ………(4)
続くステップＳ４０では算出したギア比ｇに基づいて実際の無段変速機２の変速比を制御し、その後、ステップＳ４２に移行する。なお、ステップＳ４０の処理も詳細は説明しないが周知のものである。
ステップＳ４２では車速Ｖが予め設定された判定値Ｖ0以上であるか否かを判定する。当該判定値Ｖ0は、後述するトルクコンバータ３の滑りを反映した目標運転点に基づく変速制御を実行できる領域であるか否かを判定する閾値であり、例えば１２km/hに設定されている。ステップＳ４２の判定がＮｏのときにはルーチンを終了し、判定のＹｅｓのときにはステップＳ４４に移行する。
【００４２】
ステップＳ４４では次式(5)に従って無段変速機２に入力されるべき目標入力トルクＴiを算出し、続くステップＳ４６では次式(6)に従って速度比ｅを算出する。
Ｔi＝Ｐwt／Ｎw／ｇ………(5)
ｅ＝Ｎp／Ｎe………(6)
ここに、Ｎwは車輪速であり、例えば全車輪の平均値が適用される。車輪速はセカンダリ回転速度Ｎsから換算してもよいし、専用の車輪速センサの検出値を適用してもよい。
【００４３】
上式(5)の目標パワーＰwtとしては、上記ステップＳ１８で再演算された値が適用され、当該目標パワーＰwtはステップＳ２２での余裕代Ｋresに基づく処理を反映した値となっている。即ち、ステップＳ２２で設定される目標運転点を反映してステップＳ２６でトランスミッション効率ηtmが算出され、ステップＳ１８の再演算ではトランスミッション効率ηtmに基づいて目標パワーＰwtが算出されるため、目標パワーＰwt自体も余裕代Ｋresを反映した値となる。
【００４４】
その後、ステップＳ４８で次式(7)に従って目標エンジン回転速度Ｎeを算出する。
Ｎe＝√Ｔi／τ(e)／ｃ(e)………(7)
ここに、τはトルクコンバータ３のトルク比（トルクコンバータ特性）、ｃはトルクコンバータ３の容量係数（トルクコンバータ特性）であり、それぞれ速度比ｅの関数として所定のマップから設定される。結果として目標エンジン回転速度Ｎeは現在トルクコンバータ３に発生している滑りを考慮した上で、上記ステップＳ４４の目標入力トルクＴiを達成可能な値として算出される。
【００４５】
続くステップＳ５０では変速比フィードバック制御を実行し、その後にルーチンを終了する。ステップＳ５０の制御内容は上記ステップＳ３２と同じく目標エンジン回転速度Ｎeに基づくものであるが、上記のようにトルクコンバータ３の滑りが考慮されることで目標入力トルクＴiが達成され、目標入力トルクＴiには余裕代Ｋresが反映されていることから、非ロックアップ領域においてもエンジン１はステップＳ２２で設定された目標運転点で運転される。
【００４６】
以上のようにロックアップ領域（ステップＳ３０がＹｅｓ）、及び非ロックアップ領域であっても車速Ｖが判定値Ｖ0以上のとき（ステップＳ４２がＹｅｓ）には、余裕代Ｋresを反映してエンジン１の目標運転点が設定され、無段変速機２の変速制御の結果、エンジン１が目標運転点で運転される。そして、余裕代Ｋresは、運転者の運転操作に基づくドライビング係数Ｋdrv、車両の旋回状態に基づくカーブ係数Ｋcrv、登坂路の勾配に基づく勾配係数Ｋslpから設定されるため、各要件に応じて目標運転点と共に車両の走行特性は以下に述べるように変化する。
【００４７】
運転者の運転操作に関しては、運転操作が急であるほどドライビング係数Ｋdrvを介して余裕代Ｋresが加速応答性重視寄りの割合に設定されるため、運転操作が急なときには図８に示すように加速応答性重視寄りに目標運転点ａが設定される。従って、図中に矢印で示すように目標運転点ａと最大トルクとの間には十分に大きな余裕トルクが確保されることになり、目標運転点ａから加速が開始されたときにはエンジントルクＴqが大幅に増加する。このときの運転者はキビキビ感を求めている場合が多いが、良好な加速応答性が得られることから、ストレスのない爽快な運転操作を実現することができる。
【００４８】
また、運転操作が緩やかなときには図９に示すように燃費重視寄りに目標運転点ａが設定される。従って、図中に矢印で示すように目標運転点ａと最大トルクとの間の余裕トルクは減少し、それに伴って目標運転点ａからの加速時にエンジントルクＴqはそれほど増加しなくなる。しかしながら、このときの運転者はキビキビ感を求めてないため、多少加速応答性が悪くてもストレスを与える虞はなく、一方、この燃費重視寄りの目標運転点ａの設定により燃費向上のメリットが得られる。
【００４９】
一方、車両の旋回状態に関しては、車両旋回が急であるほどカーブ係数Ｋcrvを介して余裕代Ｋresが加速応答性重視寄りの割合に設定されるため、図８に示すように加速応答性重視寄りに目標運転点ａが設定されて、大きな余裕トルクが確保される。車両旋回時には車速Ｖを落とし、旋回後に加速する走行パターンが多いため、運転者が加速応答性を要望し、且つ、車両旋回中はエンジンブレーキ作用を利用する機会が多いが、大きな余裕トルクの確保は必然的にエンジンブレーキ作用の高い低ギア側への変速制御に繋がる。結果として加速応答性およびエンジンブレーキ作用の何れの要望も達成され、車両旋回時のドライバビリティを大幅に向上させることができる。
【００５０】
また、車両旋回が緩やかなときには図９に示すように燃費重視寄りに目標運転点が設定されるが、このときには加速応答性やエンジンブレーキ作用がそれほど要求されないため支障を生じることはなく、代わりに燃費重視寄りに目標運転点ａが設定されることで燃費向上のメリットが得られる。
一方、登坂路の勾配に関しては、勾配が急であるほどカーブ係数Ｋcrvを介して余裕代Ｋresが加速応答性重視寄りの割合に設定されるため、図８に示すように加速応答性重視寄りに目標運転点ａが設定されて、大きな余裕トルクが確保される。急な登坂路では元々路面勾配に対抗する高いエンジントルクＴqが要求される上に、運転者の加速要求に応答するためにも大きなエンジントルクＴqを要するが、大きな余裕トルクが確保されることから、これらの要望を十分に満足でき、登坂路でのドライバビリティを大幅に向上させることができる。
【００５１】
また、登坂路の勾配が緩やかなときには図９に示すように燃費重視寄りに目標運転点ａが設定されるが、路面勾配に対抗する高いエンジントルクＴqや加速要求時のエンジントルクＴqがそれほど要求されないため支障を生じることはなく、代わりに燃費重視寄りに目標運転点ａが設定されることで燃費向上のメリットが得られる。
以上のように本実施形態の無段変速機の制御装置によれば、目標運転点の設定操作を運転者に要求することなく車両走行中に設定した余裕代Ｋresに基づいて自動的に決定している。従って、目標運転点の設定操作を運転者が手動で行う場合の煩わしさを未然に防止することができる。また、運転者の運転操作、車両の旋回状態、登坂路の勾配に基づき運転者の主観を排除した客観的な余裕代Ｋresを設定でき、その余裕代Ｋresに基づいてきめ細かに目標運転点を設定できるため、常に適切に変速制御を実行して燃費と加速との相反する要件を共に満足する最適な車両の走行特性を実現することができる。
【００５２】
しかも、２種の変速モードを選択する先行技術では、例えばスポーツモードを過剰に低ギア側に設定するとノーマルモードに対して走行特性がかけ離れて扱い難くなるため、必然的にスポーツモードの変速特性を制限せざるを得ないが、本実施形態のように連続的に目標運転点を設定できる場合には上記問題が発生しないため、目標運転点の設定範囲をより拡大できるという利点も得られる。
【００５３】
以上で実施形態の説明を終えるが、本発明の態様はこの実施形態に限定されるものではない。例えば上記実施形態ではベルト式無段変速機の制御装置に具体化したが、無段変速機の形式はこれに限ることはなく、例えばトロイダル式の無段変速機に適用してもよい。
また、上記実施形態では、運転者の運転操作、車両の旋回状態、登坂路の勾配に応じて最適な目標運転点が存在するとの観点の下に、各要件に基づいて余裕代Ｋresを設定したが、何れかの要件を削除したり別の要件を追加したりしてもよい。
【図面の簡単な説明】
【００５４】
【図１】実施形態の無段変速機の制御装置を示す概略構成図である。
【図２】変速制御に適用するエンジンの目標運転点を示す特性図である。
【図３】目標パワーを設定するためのマップを示す図である。
【図４】ＥＣＵが実行する余裕代設定ルーチンを示すフローチャートである。
【図５】ＥＣＵが実行する変速制御ルーチンを示すフローチャートである。
【図６】ＥＣＵが実行する変速制御ルーチンを示すフローチャートである。
【図７】目標プライマリ回転速度を設定するためのマップを示す図である。
【図８】加速応答性重視寄りの目標運転点に基づく変速制御状況を示す特性図である。
【図９】燃費重視寄りの目標運転点に基づく変速制御状況を示す特性図である。
【符号の説明】
【００５５】
１    エンジン
２    無段変速機
３  トルクコンバータ
３ａ  ロックアップクラッチ
２１  ＥＣＵ（運転領域記憶手段、余裕代設定手段、目標運転点決定手段、
変速制御手段）
【図１】
0004780313.tif 000002
【図２】
0004780313.tif 000003
【図３】
0004780313.tif 000004
【図４】
0004780313.tif 000005
【図５】
0004780313.tif 000006
【図６】
0004780313.tif 000007
【図７】
0004780313.tif 000008
【図８】
0004780313.tif 000009
【図９】
0004780313.tif 000010